(57)【要約】      （修正有）【課題】入射した光を確実に前方へ反射させ、これによりディスプレイに切削した文字等を確実に浮かび上がらせることを可能にしたディスプレイを提供する。【解決手段】文字等が切削された切削部２０１を裏面に有する、ガラス色のアクリル樹脂からなるディスプレイ本体と、該ディスプレイ本体を立設状態で保持する基台と、前記ディスプレイ本体の底面側端面を入射端面とする配置で前記基台内に収容した光源と、を備えるディスプレイであり、前記切削部２０１は、前記光源よりの入射光を前記ディスプレイ本体の前面側に反射可能な湾曲状又は斜辺状の反射面部２０２を有したことを特徴としており、これにより、入射光を確実に前面側へ反射させ、切削された文字等を浮かび上がらせることを可能にしている。【選択図】図３
0003108802.tif 000002
【実用新案登録請求の範囲】
【請求項１】
文字等が切削された切削部（２０１）を裏面に有するディスプレイ本体（２）と、
該ディスプレイ本体（２）を立設状態で保持する基台（３）と、
前記ディスプレイ本体（２）の底面側端面を入射端面とする配置で前記基台（３）内に収容した光源（４）と、を備えるディスプレイ（１）であって、
前記切削部（２０１）は、前記光源（４）よりの入射光を前記ディスプレイ本体（２）の前面側に反射可能な湾曲状又は斜辺状の反射面部（２０２）を有したことを特徴とするディスプレイ。
【請求項２】
前記ディスプレイ本体（２）が透光性を有するガラス色のアクリル樹脂であることを特徴とする請求項１に記載のディスプレイ。
【請求項３】
前記光源（４）を長尺の蛍光灯にするとともに、この蛍光灯を前記基台（３）内において横倒しにして配置したことを特徴とする請求項１又は請求項２に記載のディスプレイ。
【請求項４】
前記基台（３）は、中空の本体部（３０１）と、該本体部（３０１）に形成した、前記ディスプレイ本体（２）の下端部分が係止される係止溝（３０２）と、該係止溝（３０２）の底部に形成した透光孔（３０３）とを有することを特徴とする請求項１乃至請求項３のいずれかに記載のディスプレイ。
【考案の詳細な説明】
【技術分野】
【０００１】
本考案はディスプレイに係り、より詳しくは、文字を立体的に表示可能としたディスプレイに関する。
【背景技術】
【０００２】
従来から、会社等の広告宣伝用の看板等として光ディスプレイが用いられており、この光ディスプレイでは、一般的に、会社名等の文字等を描いたディスプレイ本体全体にディスプレイの裏側から光を当てて、これにより文字部分を含めたディスプレイ全体を目立たせる方法が採用されている。また、その他、会社等の広告宣伝用看板等を目立たせる方法としては、ディスプレイに前方側から光を当ててライトアップする方法も採用されている。
【０００３】
しかしながら、このような方法では、文字等を描いたディスプレイの裏面から光を当てて、あるいはディスプレイの前方から光を当てて、単に文字部分を含めたディスプレイ全体を目立たせるのみであるために、見る者に強いインパクトを与えることができないという欠点が指摘されている。
【０００４】
そこで、近年になり、このような従来のディスプレイの問題点を解決するものとして、文字等を立体的に浮かび上がらせ、これにより見る者にインパクトを与えることを可能にしたディスプレイが提案されている。
【０００５】
即ち、この類のディスプレイでは、ディスプレイ本体に文字等を描いた溝を切削するとともに、この溝を描いたディスプレイ本体の側面から光を当てて、これにより光を前記溝に反射させることにより文字部分を浮き上がらせることを可能にしている。
【特許文献１】特開平６−２７４１１３号公報
【特許文献２】実用新案登録第３０１００２８号公報
【考案の開示】
【考案が解決しようとする課題】
【０００６】
しかしながら、単にディスプレイに溝を切削するのみでは、ディスプレイの側面から入射した光が確実にディスプレイの前方へ反射するとは限らず、文字等を立体的に浮かび上がらせるためのディスプレイとしては実効性に疑問が残らざるを得ない。
【０００７】
そこで、本考案は、入射した光を確実に前方へ反射させ、これによりディスプレイに切削した文字等を確実に浮かび上がらせることを可能にしたディスプレイを提供することを課題としている。
【課題を解決するための手段】
【０００８】
本考案のディスプレイは、文字等が切削された切削部を裏面に有するディスプレイ本体と、該ディスプレイ本体を立設状態で保持する基台と、前記ディスプレイ本体の底面側端面を入射端面とする配置で前記基台内に収容した光源と、を備えるディスプレイであって、前記切削部は、前記光源よりの入射光を前面側に反射可能な湾曲状又は斜辺状の反射面部を有したことを特徴としている。
【考案の効果】
【０００９】
本考案のディスプレイでは、ディスプレイ本体の裏面側に切削により文字等を描いているとともに、この切削に際しては、ディスプレイの底面側端面から入射した光を前面側に反射可能な、湾曲状又は斜辺状の反射面部を有するようにしているため、ディスプレイの底面側端面から入射した光は、確実に前面側へ反射して、これによりディスプレイ本体の前面側において、前記切削した文字等を確実に浮かび上がらせることが可能である。
【考案を実施するための最良の形態】
【００１０】
本考案のディスプレイでは、その裏面側に切削により文字等が描かれたディスプレイ本体を有しており、このディスプレイ本体は、基台に立設状態で保持されている。
また、前記基台内には、前記ディスプレイ本体の底面側端面を照射可能な配置で光源が備えられている。
そして、前記ディスプレイ本体の裏面に描かれた文字等は、前記光源よりの入射光を前面側に反射可能とした、湾曲状又は斜辺状の反射面部を有している。
【００１１】
ここで、前記ディスプレイ本体は、透光性を有する素材であればいずれを用いてもよいが、透光性を有するガラス色のアクリル樹脂を用いるとよく、これにより、光源よりの光とも相まって、ディスプレイ本体の全体を鮮やかに飾ることが可能である。
【００１２】
また、前記光源としては、ディスプレイ本体の底面側端面を照射可能なものであればいずれでもよいが、長尺の蛍光灯にするとともに、この蛍光灯を前記基台内において横倒しにして配置するとよく、これにより、ディスプレイ本体全体に均一に光を入射させることが可能である。
【００１３】
更に、前記基台としては、中空の本体部と、この本体部に形成した、ディスプレイ本体の下端部分が係止される係止溝と、この係止溝の底部に形成した透光孔とを有する構成にするとよく、これにより、ディスプレイ本体を確実に立設状態で保持しつつ、このディスプレイ本体に、確実に光源よりの光を入射させることが可能である。
【実施例１】
【００１４】
本考案のディスプレイの実施例について図面を参照して説明すると、図１は本実施例のディスプレイを示す正面図であり、また図２は本実施例のディスプレイの側面を示す図であり、図において１が本実施例のディスプレイである。
【００１５】
また、図において２はディスプレイ本体、３はこのディスプレイ本体２を保持するための基台である。即ち、本実施例のディスプレイ１は、ディスプレイ本体２と基台３とにより構成されている。
【００１６】
そして、本実施例において前記ディスプレイ本体２は、略四角形状の板状のアクリル樹脂を用いており、具体的には、本実施例における前記ディスプレイ本体２としては、縦１５０ｍｍ、横２３０ｍｍ及び厚み８ｍｍのアクリル樹脂を基本としている。また、アクリル樹脂の種類としては、ガラス色としたアクリル樹脂を、より具体的には、本実施例においては、住友化学工業株式会社製の商品名「スミペック」を使用している。そして、このディスプレイ本体２の裏面側には、切削により文字等を描いており、本実施例においては、図にも示されているように「シミズテクノ」という文字を切削している。
【００１７】
ここで、図３（Ａ）（Ｂ）は、前記ディスプレイ本体２の側断面を示す端面図であり、図において２０１は、文字等を描いた切削部である。そして、図にも示されるように、本実施例において前記切削部２０１は、断面形状を鋭角状又は湾曲状としており、鋭角状又は湾曲状に切削するに際して、前面側に凸とした形状にしている。即ち、文字等を切削するに際して、切削部の底部が湾曲状又は鋭角状になるようにし、切削部の底部が平らにならないようにしている。そして、これにより、鋭角状又は湾曲状にした切削部２０１の下側を、ディスプレイ本体２の底面端部から入射した光を反射させる反射面部２０２としている。
【００１８】
そのために、本実施例においては、ディスプレイ本体の底部側端面から光を入射させると、鋭角状又は湾曲状にした切削部２０１の下側、即ち反射面部２０２に光が衝突するとともに、この光はディスプレイ本体２の前面側へ反射していき、これにより、切削部２０１の略下半分部分が光ることで、文字等を立体的に浮き上らせることが可能となる。即ち、文字等の全体を発光させた場合には、見る者が当該文字等を立体的に捉えることは困難であるが、本実施例のディスプレイのように、文字等の片側のみを発光させた場合には、これを見る者は当該文字等を立体的に捉えるようになる。従って、本実施例のディスプレイ１では、文字等を確実に立体的に浮かび上がらせることが可能であり、これを見る者に強いインパクトを与えることが可能である。
【００１９】
なお、本実施例のディスプレイによれば、縦方向に向けて文字等を切削した場合には、理論的には入射光が反射する箇所は存在しないことになるが、本考案者の実験によると、ディスプレイ本体に入射した光がディスプレイ本体２内で乱反射するために、縦方向に向けて文字等を切削した部分も発光するとともに、当該部分の発光に際しては、本実施例ではディスプレイ本体２としてガラス色のアクリル樹脂を用いているために、薄緑がかったガラス色に発光することが確認されている。また、切削部２０１における非反射面部２０３もまた、光の乱反射によって、薄緑がかったガラス色に発光することが確認された。図１において薄墨で表示した部分がガラス色に発光している部分を示しており、その他の部分が明るく発光している部分を示している。
【００２０】
このように、本実施例のディスプレイ１では、ディスプレイ本体２の底面端部から光を入射させると、反射面部２０２は明るく発光しその他の部分は緑がかったガラス色に発光するため、明度や発光色の相違と相まって、切削した文字等の全体を立体的かつ鮮やかに浮かび上がらせることが可能である。
【００２１】
なお、本実施例においては、機械を用いて、文字等に深みを持たせて切削を行っている。そのため、例えばレーザー光を用いてディスプレイ本体の表面を僅かに削った方法と異なり、反射面部２０２を確実に形成することが可能である。
【００２２】
次に、本実施例のディスプレイを構成する基台３について説明すると、図４は本実施例の基台３の側断面を示す図であり、また図５は本実施例の基台３の縦断正面を示す図であり、更に図６は本実施例の基台３の平面を示す図であり、図において３０１は本体部である。そして、本実施例においてこの本体部３０１は、図１からも明らかなように、前記ディスプレイ本体２の幅方向寸法よりもわずかに長い幅寸法としているとともに、その内部を中空としている。
【００２３】
そして、本体部３０１の上面には、幅方向に沿って、前記ディスプレイ本体２の下端部分を挿入保持可能な係止溝３０２を有しており、この係止溝３０２内に前記ディスプレイ本体２の下方部分を挿入することにより、ディスプレイ本体２を基台３に立設状態で保持可能としている。
【００２４】
更に、この係止溝３０２の底部には、本体部３０１の幅方向に沿って透光孔３０３が形成されており、この透光孔３０３の下方部分において、前記本体部３０１内には、光源としての蛍光灯４が横倒しの状態で配置されている。即ち、本実施例においては、前記本体部３０１内における前記透光孔３０２の下方部分に固定手段５を配置するとともに、この固定手段５の両端部分上方に蛍光灯４の両端を係止するとともに電気的に接続するための係止部５０１を備えており、更に、係止部５０１に電源コード５０２を接続している。
【００２５】
そして、この構成において、光源としての蛍光灯４を、係止部５０１を介して固定手段５に固定するとともに蛍光灯４に電源を供給すると、蛍光灯４からの光は、透光孔３０３を介して、係止溝３０２に係止保持しているディスプレイ本体２の底部端面からディスプレイ本体２内へ入射されることになる。
【００２６】
そのために、本実施例のディスプレイでは、特に面倒な作業を得ること無く、基台３にディスプレイ本体２を保持した状態で蛍光灯４に電源を供給することのみにより、ディスプレイ本体２に光を入射させることが可能である。
【００２７】
次に、このように構成される本実施例のディスプレイ１の作用について説明すると、本実施例のディスプレイ１を用いる場合には、裏面に反射面部２０２が形成されるようにして文字等が切削された切削部２０１を有するディスプレイ本体２の下方部分を前記係止溝３０２内に挿入し、この状態で蛍光灯４に電源を供給するのみでよい。
【００２８】
そうすると、蛍光灯４の光は、ディスプレイ本体２の底面端部よりディスプレイ本体２内に入射するとともに、切削部２０１における反射面部２０２に衝突してディスプレイ本体２の前面側へ確実に反射し、これにより、切削部２０１における反射面部２０２が明るく発光する。そしてそれとともに、非反射面部２０３等の光が直接には反射しない箇所は、ディスプレイ本体２内の光の乱反射等によって、薄緑がかった色でかつ反射面部２０２よりも少ない明度で発光する。そしてこれにより、反射面部２０２と非反射面部２０３等の明度、色等の違いによって、見る者にとっては、切削された文字等は立体的に見えることになる。
【００２９】
このように、本実施例のディスプレイ１では、入射した光を確実に前方へ反射させ、これによりディスプレイに切削した文字等を確実に浮かび上がらせることが可能であるとともに、その際には、光が直接的に前面側へ反射して明るく発光する箇所と、ディスプレイ本体２内の乱反射等によって、薄緑がかった色で少なく発光する箇所とが形成され、その明度、色等の相違によって、切削した文字等を、見る者にとって立体的に見せることが可能である。
【産業上の利用可能性】
【００３０】
本考案のディスプレイでは、ディスプレイ本体の裏面側に反射面部が形成されるようにして文字等を切削し、これにより、反射面部で入射光を確実に前面側へ反射可能としているために、文字等に限らず、光ディスプレイの全般に適用可能である。
【図面の簡単な説明】
【００３１】
【図１】本考案のディスプレイの実施例の正面図である。
【図２】本考案のディスプレイの実施例の側面図である。
【図３】本考案のディスプレイの実施例における切削部を説明するための図である。
【図４】本考案のディスプレイの実施例における基台の側断面図である。
【図５】本考案のディスプレイの実施例における基台の縦断正面図である。
【図６】本考案のディスプレイの実施例における基台の平面図である。
【符号の説明】
【００３２】
１    ディスプレイ
２    ディスプレイ本体
２０１    切削部
２０２    反射面部
２０３    非反射面部
３    基台
３０１    本体部
３０２    係止溝
３０３    透光孔
４    光源（蛍光灯）
５    固定手段
５０１    係止部
５０２    電源コード
【図１】
0003108802.tif 000003
【図２】
0003108802.tif 000004
【図３】
0003108802.tif 000005
【図４】
0003108802.tif 000006
【図５】
0003108802.tif 000007
【図６】
0003108802.tif 000008
【手続補正書】
【提出日】平成16年12月1日(2004.12.1)
【手続補正１】
【補正対象書類名】図面
【補正対象項目名】図１
【補正方法】変更
【補正の内容】
【図１】
0003108802.tif 000009
【手続補正２】
【補正対象書類名】明細書
【補正対象項目名】００１６
【補正方法】変更
【補正の内容】
【００１６】
そして、本実施例において前記ディスプレイ本体２は、略四角形状の板状のアクリル樹脂を用いており、具体的には、本実施例における前記ディスプレイ本体２としては、縦１５０ｍｍ、横２３０ｍｍ及び厚み８ｍｍのアクリル樹脂を基本としている。また、アクリル樹脂の種類としては、ガラス色としたアクリル樹脂を、より具体的には、本実施例においては、住友化学工業株式会社製の商品名「スミペック」を使用している。そして、このディスプレイ本体２の裏面側には、切削により文字等を描いており、本実施例においては、図にも示されているように「テクノ」という文字を切削している。